(57)【要約】【課題】基壁部および肌当接部からなる防漏壁を有する吸収性物品において、肌当接部の形状を安定的に保持でき、着用時における肌に対するフィット性に優れ、液漏れ防止効果に優れた吸収性物品を提供すること。【解決手段】吸収層１１及び防漏層１２を備え、吸収層１１の幅方向外方それぞれに長手方向に亘って防漏壁５が設けられた吸収性物品１であって、防漏壁５は、吸収層１１の幅方向外方から起立した基壁部５１と、基壁部５１の上端部５４に、上端部５４の長手方向に亘って連設された肌当接部５２とを備えており、基壁部５１における上端部５４近傍には、防漏壁５の長手方向に亘って基壁部弾性部材９１が配されており、基壁部５１には、上端部５４と基壁部弾性部材９１との間に襞８が多数形成されている。【選択図】図４
2008237279.tif 000002
【特許請求の範囲】
【請求項１】
吸収層及び防漏層を備え、該吸収層の幅方向外方それぞれに長手方向に亘って防漏壁が設けられた吸収性物品であって、
前記防漏壁は、前記吸収層の幅方向外方から起立した基壁部と、該基壁部の上端部に、該上端部の長手方向に亘って連設された肌当接部とを備えており、
前記基壁部における前記上端部近傍には、前記防漏壁の長手方向に亘って基壁部弾性部材が配されており、
前記基壁部には、前記上端部と前記基壁部弾性部材との間に襞が多数形成されている吸収性物品。
【請求項２】
前記肌当接部は、前記上端部から前記吸収性物品の幅方向内方に張り出す内方肌当接部と、該上端部から該吸収性物品の幅方向外方に張り出す外方肌当接部とからなり、該内方肌当接部及び該外方肌当接部には、それぞれ前記防漏壁の長手方向に亘って肌当接部弾性部材が配されている請求項１記載の吸収性物品。
【請求項３】
前記内方肌当接部及び前記外方肌当接部は、両者が一体となって平面状に形成され、前記肌当接部と前記基壁部とは、Ｔ字状を形成している請求項２記載の吸収性物品。
【請求項４】
前記基壁部における前記上端部と前記基壁部弾性部材との間隔は、１〜１０ｍｍである請求項１ないし３の何れかに記載の吸収性物品。
【発明の詳細な説明】
【技術分野】
【０００１】
本発明は、生理用ナプキンや使い捨ておむつ等の吸収性物品に関する。
【背景技術】
【０００２】
従来、生理用ナプキンや使い捨ておむつ等の吸収層及び防漏層を備えた吸収性物品において、該吸収層の幅方向外方それぞれに、防漏壁が長手方向に沿って配設されたものが知られている。防漏壁は、吸収性物品を着用者にフィットする好ましい立体形状に変形させること、着用者の肌に対する密着性を向上させ、液漏れを確実に防止すること等を目的とするものである。
【０００３】
このような防漏壁を有する吸収性物品として、本出願人は先に、吸収層の幅方向外方から起立した基壁部と、該基壁部の上端部に連設された着用者の肌に面状に当接する肌当接部とを備えた防漏壁を有する吸収性物品を提案した（特許文献１参照）。特許文献１記載の吸収性物品によれば、肌当接部が着用者の肌に面状に当接するため、肌とのフィット性が向上し、液漏れの防止効果が高まっている。しかし、吸収性物品に求められる要求はますます高まっており、一層フィット性及び液漏れの防止効果に優れたものが求められている。
一方、防漏壁における基壁部の起立性を高めるために基壁部の高さ方向の中央部に折り込み誘導部を設け、該折り込み誘導部に弾性部材を配したもの（特許文献２参照）や、折り返し部を有する防漏壁における該折り返し部近傍に弾性部材を配したもの（特許文献３参照）が知られている。
【０００４】
【特許文献１】特開２００２−６５６号公報
【特許文献２】特開２００１−１４５６６７号公報
【特許文献３】特開２００１−９５８４４号公報
【発明の開示】
【発明が解決しようとする課題】
【０００５】
しかし、特許文献２及び３記載の吸収性物品によっては、折り返し部近傍にある弾性部材は、その使用時において基壁部と肌当接部から異なる影響を受けるため、肌当接部の形状を安定させることが困難となる。
従って、本発明の目的は、基壁部および肌当接部からなる防漏壁を有する吸収性物品において、肌当接部の形状を安定的に保持でき、着用時における肌に対するフィット性に優れ、液漏れ防止効果に優れた吸収性物品を提供することにある。
【課題を解決するための手段】
【０００６】
本発明は、吸収層及び防漏層を備え、該吸収層の幅方向外方それぞれに長手方向に亘って防漏壁が設けられた吸収性物品であって、前記防漏壁は、前記吸収層の幅方向外方から起立した基壁部と、該基壁部の上端部に、該上端部の長手方向に亘って連設された肌当接部とを備えており、前記基壁部における前記上端部近傍には、前記防漏壁の長手方向に亘って基壁部弾性部材が配されており、前記基壁部には、前記上端部と前記基壁部弾性部材との間に襞が多数形成されている吸収性物品を提供することにより、上記目的を達成したものである。
【発明の効果】
【０００７】
本発明の吸収性物品によれば、基壁部の上端部近傍に多数の襞が形成されているため、肌当接部の形状を安定的に保持でき、着用時における肌に対するフィット性に優れ、液漏れ防止効果に優れる。
【発明を実施するための最良の形態】
【０００８】
以下、本発明の吸収性物品を、その好ましい一実施形態である生理用ナプキンに基づき図面を参照しながら説明する。
本実施形態の生理用ナプキン１は、図１〜図４に示すように、吸収層１１及び防漏層１２を備え、該吸収層１１の幅方向外方それぞれに長手方向に亘って防漏壁５，５が設けられている。
【０００９】
本実施形態の生理用ナプキン１の吸収層１１は、図３（ａ）に示すように、液透過性の表面シート２及び液保持性の吸収体４を主体として構成されている。防漏層１２は、液不透過性又は液難透過性の裏面シート３を主体として構成されている。
吸収体４は、図３（ａ）に示すように、上層吸収体４１及び下層吸収体４２からなる２層構造を有している。上層吸収体４１は、下層吸収体４２よりも長さが短く、幅が狭くなっている。また、上層吸収体４１は、下層吸収体４２には接合されておらず、下層吸収体４２の長手方向中央部で且つ幅方向中央部に位置している。従って、上層吸収体４１は、いわゆる中高領域を形成する。
【００１０】
表面シート２は、図３（ａ）に示すように、吸収体４の上面の全域を被覆し、更に吸収体４の両側縁から幅方向に延出して吸収体４の非肌当接面側に巻き込まれている。裏面シート３は、図２及び図３（ａ）に示すように、吸収体４の下面を被覆し、更に吸収体４の両側縁から幅方向外方に延出しており、後方部Ｃにおいて一対のサイドフラップ１３を形成している。裏面シート３は、図２に示すように、排泄部対向部Ａにおいて更に幅方向外方へ延出して、一対のウイング１２，１２を形成している。ウイング１２は、着用時に折り曲げられて、ショーツ等の下着の外表面に粘着剤等を介して固定されるものである。
また、表面シート２及び裏面シート３は、それぞれ吸収体４の前後端から長手方向に延出し、その延出部分において互いに接合されてエンドシール部１４，１４を形成している。
【００１１】
本実施形態においては、防漏壁５は、図４に示すように、吸収層１１の幅方向外方から起立した基壁部５１と、該基壁部５１の上端部５４に、該上端部５４の長手方向に亘って連設された肌当接部５２とを備えている。前記基壁部５１における前記上端部５４近傍には、前記防漏壁５の長手方向に亘って基壁部弾性部材９１が配されており、前記基壁部５１には、図４に示すように、前記上端部５４と前記基壁部弾性部材９１との間に襞８が多数形成されている。
【００１２】
防漏壁５について更に説明すると、防漏壁５は、図１及び図２に示すように、生理用ナプキン１の長手方向の全長に亘って配されている。防漏壁５は、図３（ａ）に示すように、防漏壁形成用シート５３を主体として構成されている。防漏壁形成用シート５３は、長手方向に亘って一定の幅を有するシートで、基壁部５１及びその上端部５４に肌当接部５２が連設された形状を有するように折り返されている。従って、防漏壁形成用シート５３を折り返して形成した防漏壁５は、図３（ａ）に示すように、基壁部５１及び肌当接部５２において２層構造となっている。基壁部５１の下端部５５は、図３（ａ）に示すように、吸収体４の非肌当接面側に巻き込まれている。そして、吸収体４の非肌当接面側に巻き込まれた下端部５５は、吸収体４の非肌当接面側に巻き込まれた表面シート２の非肌当接面側と、裏面シート３の肌当接面側との間に、接着剤等の公知の接合手段により固定されている。
【００１３】
基壁部弾性部材９１は、基壁部５１の上端部５４近傍において、２層の防漏壁形成用シート５３，５３の間に伸長状態で配されており、接着剤等の公知の手段によって該２層の防漏壁形成用シート５３，５３と接合されている。基壁部弾性部材９１と接合された２層の防漏壁形成用シート５３，５３は、基壁部弾性部材９１の収縮力によって収縮し、図４に示すように、基壁部５１には、上端部５４と前記基壁部弾性部材９１との間に多数の襞８が形成される。基壁部弾性部材９１は、少なくとも排泄部対向部Ａに配されており、更に前方部Ｂ及び／又は後方部Ｃ側にも延びて配されていることが好ましい。
【００１４】
多数の襞８は、図５に示すように、２層の防漏壁形成用シート５３，５３が、生理用ナプキン１の幅方向外方及び幅方向内方に張り出して形成されている。即ち、各襞８は、基壁部５１の高さ方向に延びて形成されている。各襞８は、肌当接部５２の面形状を平面として安定的に保持させる観点から、その一つの大きさが小さく形成されることが好ましい。具体的には、隣り合う襞８同士の間隔Ｌ２は、好ましくは１〜７ｍｍ、更に好ましくは１〜５ｍｍである。各襞８における幅方向の間隔Ｌ３は、好ましくは１〜６ｍｍ、更に好ましくは２〜４ｍｍである。
また、各襞８同士の間隔Ｌ２は、肌当接部５２の幅（内方肌当接部５２Ａの長手方向に沿った自由端から外方肌当接部５２Ｂの長手方向に沿った自由端までの長さ）に対して、好ましくは５〜３０％、更に好ましくは１０〜２０％である。
【００１５】
基壁部５１における上端部５４と基壁部弾性部材９１との間隔Ｌ１は、隣り合う襞８同士の間隔Ｌ２を小さくして襞８を多数形成する観点から、好ましくは１〜１０ｍｍ、更に好ましくは１〜５ｍｍである。上端部５４と基壁部弾性部材９１との間隔Ｌ１が１０ｍｍを超えてしまうと、基壁部弾性部材９１と吸収層１１との間の距離が短くなって、小さな襞が形成されにくくなり、肌当接部５２の面形状を安定的に保持できなくなるおそれがある。
多数の襞８それぞれの大きさは、同一でなくてもよく、また襞８は、少なくとも排泄部対向部Ａの全域に亘って連続して形成されていることが好ましい。
【００１６】
肌当接部５２は、図３（ａ）に示すように、基壁部５１の上端部５４から生理用ナプキン１の幅方向内方に張り出す内方肌当接部５２Ａと、基壁部５１の上端部５４から生理用ナプキン１の幅方向外方に張り出す外方肌当接部５２Ｂとから構成されており、少なくとも排泄部対向部Ａにおいて着用者の肌に面状に当接するようになっている。
内方肌当接部５２Ａ及び外方肌当接部５２Ｂには、それぞれ防漏壁５の長手方向に亘って肌当接部弾性部材９２が複数本ずつ配されている。以下、内方肌当接部５２Ａに配された肌当接部弾性部材９２を内方弾性部材９２Ａ、外方肌当接部５２Ｂに配された肌当接部弾性部材９２を外方弾性部材９２Ｂという。内方弾性部材９２Ａ及び外方弾性部材９２Ｂは、それぞれ複数本ずつ幅方向に間隔をあけて配されている（図４においてはそれぞれ１本のみ図示）。
【００１７】
内方弾性部材９２Ａ及び外方弾性部材９２Ｂは、それぞれ内方肌当接部５２Ａ及び外方肌当接部５２Ｂを構成する２層の防漏壁形成用シート５３，５３の間に伸長状態で配されており、接着剤等の公知の手段によって該２層の防漏壁形成用シート５３，５３と接合されている。
内方肌当接部５２Ａ及び外方肌当接部５２Ｂに内方弾性部材９２Ａ及び外方弾性部材９２Ｂが配されることによって、肌当接部５２には弾性伸縮性が付与され伸縮領域Ｐが形成されている。伸縮領域Ｐとは、実質的に伸縮性が発現する領域をいい、肌当接部弾性部材９２が存在する領域であっても、例えば、ヒートシール等が施されて剛性が高くなることによって、実質的に伸縮性が発現しなくなっている領域は含まない。
【００１８】
肌当接部弾性部材９２は、少なくとも排泄部対向部Ａに配されており、更に前方部Ｂ及び／又は後方部Ｃ側にも延びて配されていることが好ましい。
内方弾性部材９２Ａの本数は、好ましくは１〜５本、更に好ましくは１〜３本であり、外方弾性部材９２Ｂの本数は、好ましくは１〜５本、更に好ましくは１〜３本である。
【００１９】
本実施形態においては、図３（ａ）に示すように、内方肌当接部５２Ａ及び外方肌当接部５２Ｂは共に、略水平に張り出している。即ち、内方肌当接部５２Ａ及び外方肌当接部５２Ｂは、両者が一体となって平面状に形成され、肌当接部５２と基壁部５１とは、図３（ａ）に示す如き防漏壁５の幅方向（生理用ナプキン１の幅方向）の断面視において、Ｔ字状を形成している。
【００２０】
本実施形態においては、内方肌当接部５２Ａ及び外方肌当接部５２Ｂの張り出し幅は異なっている。内方肌当接部５２Ａの張り出し幅と外方肌当接部５２Ｂの張り出し幅との比（前者：後者）は、好ましくは１：５〜５：１であり、特に、肌当接部５２の生理用ナプキン１の内方への張り出しによる液吸収面の面積縮小を防止し、該液吸収面を幅方向に広くできる点から、更に好ましくは１：１〜１：４である。
また、内方肌当接部５２Ａの長手方向に沿った自由端から外方肌当接部５２Ｂの長手方向に沿った自由端までの長さ、即ち、肌当接部５２の幅は、フィット性及び防漏壁を汚しにくくする点から、１０〜５０ｍｍが好ましい。
【００２１】
肌当接部５２は、図２に示すように、前方部Ｂにおいて、その前端部近傍が、前側のエンドシール部１４により、表面シート２又は裏面シート３の肌当接面側に接合されており、また、その内側部側が、前側の防漏壁シール部１５により、表面シート２又は裏面シート３の肌当接面側に接合されている。
同様に、肌当接部５２は、後方部Ｃにおいて、その後端部近傍が、後側のエンドシール部１４により、表面シート２又は裏面シート３の肌当接面側に接合されており、また、その内側部側が、後側の防漏壁シール部１５により、表面シート２又は裏面シート３の肌当接面側に接合されている。
【００２２】
防漏壁５は、排泄部対向部Ａ、及び後方部Ｃの一部においては、伸縮領域Ｐ（肌当接部弾性部材９２）による収縮力によって起立する。一方、防漏壁５は、前方部Ｂ、及び後方部Ｃの残りの一部においては、少なくとも肌当接部５２の幅方向内側（内方肌当接部５２Ａ）が、エンドシール部１４及び防漏壁シール部１５により表面シート２又は裏面シート３に接合されることによって、起立が阻害されており、起立しない。そのため、肌当接部５２の収縮によって、生理用ナプキン１は、その長手方向の全体形状が、図１に示すように、凹状に湾曲する。
【００２３】
後方部Ｃにおいては、図３（ｃ）に示すように、基壁部５１において、防漏壁形成用シート５３の一部は、幅方向内方に延出するように山折りに折り重ねられて重層部５８を形成している。重層部５８は、折り重ねられた対向面が対向面接合部５７により接合されて、折り重ね形態を維持している。
対向面接合部５７は、防漏壁５の基壁部５１を良好に起立させる観点から、重層部５８の折り重ねられた対向面における幅方向外方寄りの位置に設けられていることが好ましい。防漏壁５に重層部５８が設けられることにより、後方部Ｃにおける基壁部５１の上端部５４から裏面シート３までの厚み方向距離は、排泄部対向部Ａにおける該厚み方向距離よりも短くなっている。
また、重層部５８が基壁部弾性部材９１を含んで形成されておらず、該基壁部弾性部材９１が該重層部５８によって固定されていないことによって、後方部Ｃにおいても肌当接部５２の平面形状がより安定する。この平面形状の安定効果は、重層部５８と基壁部５１の上端部５４との間に弾性部材が少なくとも１本存在することで達成できる。
【００２４】
重層部５８は、基壁部５１の長手方向に所定長さに亘って形成されている。重層部５８の長さは、防漏壁５が起立している部分の全長の１５〜４５％であることが好ましく、２０〜３０％であることが更に好ましい。
【００２５】
防漏壁５を構成する防漏壁形成用シート５３としては、生理用ナプキン等の吸収性物品における防漏壁を構成する材料として従来から用いられている材料を特に制限なく用いることができ、特に好ましくは疎水性不織布等の撥水性のシートが用いられる。
防漏壁５における基壁部弾性部材９１及び肌当接部弾性部材９２は、弾性を有しているものであれば、糸状の弾性部材に制限されず、帯状のものでもよい。
また、防漏壁５は、本実施形態においては基壁部５１と肌当接部５２とが一体的に形成されているが、基壁部５１と肌当接部５２とを別々に製造し、それらを接合して形成することもできる。
【００２６】
本実施形態の生理用ナプキン１においては、前方部Ｂにおける肌当接面側には、図１及び図２に示すように、前側に向けて凸の略Ｕ字状の前方溝６が設けられている。排泄部対向部Ａにおける肌当接面側には、長手方向に沿って延びる幅方向に一対の中央溝７１，７１が設けられている。後方部Ｃにおける肌当接面側には、後側に向けて凸の略Ｕ字状の第１後方溝７２が設けられている。
前方溝６の一対の後端部と一対の中央溝７１，７１の前端部とがそれぞれ連結されると共に、一対の中央溝７１，７１の後端部と第１後方溝７２における一対の前端部とがそれぞれ連結されて、閉鎖された全周溝Ｑが形成されている。
【００２７】
全周溝Ｑ（前方溝６、中央溝７１、第１後方溝７２）は、図３（ｂ）に示すように、表面シート２と吸収体４の下層吸収体４２とが一体的に圧密化されて形成されている。全周溝Ｑは、上層吸収体４１の外形形状を一回り大きくした形状を有している。従って、上層吸収体４１は、平面視で全周溝Ｑによって包囲されており、表面シート２と下層吸収体４２とからなる閉鎖空間に封入されている。
【００２８】
第１後方溝７２の外側には、後側に凸の略Ｕ字状の第２後方溝７３が設けられている。第２後方溝７３の一対の前端部は、第１後方溝７２の一対の前端部近傍に連結されている。第２後方溝７３は、後方部Ｃ側において、表面シート２と下層吸収体４２とが一体的に圧密化されて形成されている。
【００２９】
本実施形態の生理用ナプキンにおける表面シート２、裏面シート３及び吸収体４としては、生理用ナプキン等の吸収性物品において従来から用いられている各種材料を特に制限なく用いることができる。
表面シート２としては、例えば、親水化処理が施された各種不織布や開孔フィルム等の液透過性のシートを用いることができる。裏面シート３としては、例えば、熱可塑性樹脂のフィルム（ＰＥフィルム等）や、該フィルムと不織布とのラミネート等の液不透過性又は撥水性のシートを用いることができ、水蒸気透過性を有するものを用いることもできる。
吸収体４としては、生理用ナプキン等の吸収性物品における吸収体として従来から用いられている各種材料を特に制限なく用いることができ、例えば、パルプ繊維を堆積させて得られた積繊層、パルプ繊維を原料とする不織布からなるものを用いることができる。吸収体４は吸収性ポリマーを含有していてもよい。
【００３０】
以上のような構成を有する本実施形態の生理用ナプキン１によれば、基壁部５１の上端部５４近傍に多数の襞８が形成されているため、肌当接部５２の面形状を安定的に保持でき、着用者の肌に対するフィット性に優れ、液漏れ防止効果に優れる。
また、肌当接部５２が内方肌当接部５２Ａと外方肌当接部５２Ｂとからなり、両肌当接部５２Ａ，５２Ｂに内方弾性部材９２Ａ及び外方弾性部材９２Ｂが配されているため、肌当接部５２が伸縮性を有し、着用者の肌に対するフィット性が更に向上する。
更に、防漏壁５は、その幅方向の断面がＴ字状に形成されているため、肌当接部５２が着用者の肌に面状に当接しやすい。
【００３１】
本発明の吸収性物品は、前記各実施形態に制限されるものではなく、本発明の趣旨を逸脱しない範囲において種々変形可能である。
断面Ｔ字状の防漏壁５を採用する場合、内方肌当接部５２Ａ及び外方肌当接部５２Ｂそれぞれの張り出し幅は同一でもよく、外方肌当接部５２Ｂの方が内方肌当接部５２Ａよりも張り出し幅が大きくてもよい。
【００３２】
内方肌当接部５２Ａ及び外方肌当接部５２Ｂは、上端部５４からそれぞれ水平に張り出していなくてもよく、例えば、それぞれの先端が斜め上方に向けて張り出すことにより、肌当接部５２と基壁部５１とが防漏壁５の幅方向の断面視においてＹ字状を形成していてもよく、また、内方肌当接部５２Ａ及び外方肌当接部５２Ｂの何れか一方のみが斜め上方に傾斜していてもよい。
【００３３】
面状の肌当接部５２を有する防漏壁５においては、内方肌当接部５２Ａがなく、外方肌当接部５２Ｂのみが設けられた形態でもよく、その反対に、外方肌当接部５２Ｂがなく、内方肌当接部５２Ａのみが設けられた形態でもよいが、肌当接部５２の面形状を安定させる点からは、これら２つの形態（内方又は外方の何れか一方にのみ肌当接部が設けられている（延出している）形態）において、肌当接部５２の延出方向とは異なる方向に基壁部５１より突出部（上端部５４より突出したものに限られない）が延出されていることが好ましく、基壁部５１の上端部５４よりナプキン１の内方又は外方に肌当接部５２が張り出して、基壁部５１の上端部５４付近に突出部が延出されていることがより好ましい。
【００３４】
防漏壁５の重層部５８は、防漏壁形成用シート５３の一部を、幅方向外方に延出するように山折りに折り重ねて形成してもよく、また、特開２００３−２４５３０６号公報に記載の他の形態をとることもできる。重層部５８の折り重ね回数、重層部５８の幅、重層部５８の折り重ねられた対向面における対向面接合部５７の位置等は、適宜設定することができる。
【００３５】
吸収体４は、上層吸収体４１と下層吸収体４２とが接着剤やエンボス手段により一体化されていてもよく、また、中高構造を有していない平坦状であってもよい。
前述した各構成は、適宜組み合わせることができる。
本発明は、生理用ナプキン及び展開型の使い捨ておむつの他、パンツ型の使い捨ておむつ、失禁パッド、パンティライナー等に適用することができる。
【図面の簡単な説明】
【００３６】
【図１】図１は、本発明の吸収性物品の第１実施形態としての生理用ナプキンについて、自然状態における概略形態を、後方部側から視た斜視図である。
【図２】図２は、第１実施形態の生理用ナプキンを引き伸ばした状態を示す平面図である。
【図３】図３（ａ）は、図２に示すＸ−Ｘ断面の模式図、図３（ｂ）は、図３（ａ）の部分拡大図、図３（ｃ）は、図２に示すＹ−Ｙ断面の模式図である。
【図４】図４は、図２に示すＸ−Ｘ線断面の斜視図である。
【図５】図５は、図３（ａ）に示すＺ−Ｚ線断面図であり、基壁部における上端部と基壁部弾性部材との間の水平方向断面図である。
【符号の説明】
【００３７】
１  生理用ナプキン（吸収性物品）
２  表面シート
３  裏面シート
４  吸収体
４１  上層吸収体
４２  下層吸収体
５  防漏壁
５１  基壁部
５２  肌当接部
８  襞
９１  基壁部弾性部材
９２  肌当接部弾性部材
１１  吸収層
１２  防漏層
Ａ  排泄部対向部
Ｂ  前方部
Ｃ  後方部
【図１】
2008237279.tif 000003
【図２】
2008237279.tif 000004
【図３】
2008237279.tif 000005
【図４】
2008237279.tif 000006
【図５】
2008237279.tif 000007